(57)【特許請求の範囲】
【請求項１】
Cr-Fe-Ni系合金を用いた製造物であって、
前記Cr-Fe-Ni系合金は、その化学組成が、
54質量％以上75質量％以下のCrと、
10質量％以上27質量％以下のFeと、
10質量％以上25質量％以下のNiと、
0.2質量％以上2質量％以下のMnと、
0質量％超1質量％以下のSiと、
0.005質量％以上0.2質量％以下のAlと、
0質量％超1質量％以下のCと、
0質量％超2質量％以下のNと、
0.02質量％以上2.8質量％以下のOとを含み、
残部が不純物からなることを特徴とするCr-Fe-Ni系合金製造物。
【請求項２】
請求項１に記載のCr-Fe-Ni系合金製造物において、
前記Oが0.2質量％超2.8質量％以下であることを特徴とするCr-Fe-Ni系合金製造物。
【請求項３】
請求項１又は請求項２に記載のCr-Fe-Ni系合金製造物において、
前記Cが0.03質量％超1質量％以下であることを特徴とするCr-Fe-Ni系合金製造物。
【請求項４】
請求項１又は請求項２に記載のCr-Fe-Ni系合金製造物において、
前記Cが0.3質量％超1質量％以下であることを特徴とするCr-Fe-Ni系合金製造物。
【請求項５】
請求項１乃至請求項４のいずれか一項に記載のCr-Fe-Ni系合金製造物において、
前記Niが10質量％以上17質量％未満であることを特徴とするCr-Fe-Ni系合金製造物。
【請求項６】
請求項１乃至請求項５のいずれか一項に記載のCr-Fe-Ni系合金製造物において、
水素イオン指数pH＝1、30℃の硫酸水溶液中における硫酸腐食試験を行った場合に、平均質量減少速度が0.02 mg/(cm2・h)未満であることを特徴とするCr-Fe-Ni系合金製造物。
【請求項７】
請求項１乃至請求項６のいずれか一項に記載のCr-Fe-Ni系合金製造物において、
前記製造物のビッカース硬さが700 HV1以上であることを特徴とするCr-Fe-Ni系合金製造物。
【請求項８】
請求項７に記載のCr-Fe-Ni系合金製造物において、
前記製造物のビッカース硬さが800 HV1以上であることを特徴とするCr-Fe-Ni系合金製造物。
【請求項９】
請求項１乃至請求項８のいずれか一項に記載のCr-Fe-Ni系合金製造物において、
前記製造物は、鋳造組織を有する鋳造成形体であることを特徴とするCr-Fe-Ni系合金製造物。
【請求項１０】
請求項１乃至請求項８のいずれか一項に記載のCr-Fe-Ni系合金製造物において、
前記製造物は、再結晶組織を有する成形体であることを特徴とするCr-Fe-Ni系合金製造物。
【請求項１１】
請求項１乃至請求項８のいずれか一項に記載のCr-Fe-Ni系合金製造物において、
前記製造物は、急冷凝固組織を有する急冷凝固成形体であることを特徴とするCr-Fe-Ni系合金製造物。
【請求項１２】
請求項１乃至請求項５のいずれか一項に記載のCr-Fe-Ni系合金製造物において、
前記製造物は、急冷凝固組織を有する粉体であることを特徴とするCr-Fe-Ni系合金製造物。
【請求項１３】
請求項１乃至請求項８のいずれか一項に記載のCr-Fe-Ni系合金製造物において、
前記製造物は、焼結組織を有する粉末冶金成形体であることを特徴とするCr-Fe-Ni系合金製造物。
【請求項１４】
請求項９に記載のCr-Fe-Ni系合金製造物の製造方法であって、
前記Cr-Fe-Ni系合金の原料を混合・溶解して溶湯を形成する原料混合溶解工程と、
前記溶湯を鋳造して鋳造成形体を形成する鋳造工程と、
前記鋳造成形体に対して800℃以上950℃以下の焼鈍熱処理を施す焼鈍工程と、
前記焼鈍した鋳造成形体に対して所望の形状となるように機械加工を施して機械加工成形体を形成する機械加工工程と、
前記機械加工成形体に対して900℃以上1300℃以下の硬化熱処理を施す硬化工程と、
を有することを特徴とするCr-Fe-Ni系合金製造物の製造方法。
【請求項１５】
請求項１０に記載のCr-Fe-Ni系合金製造物の製造方法であって、
前記Cr-Fe-Ni系合金の原料を混合・溶解して溶湯を形成する原料混合溶解工程と、
前記溶湯を鋳造して鋳造成形体を形成する鋳造工程と、
前記鋳造成形体に対して塑性加工を施して塑性加工成形体を形成する塑性加工工程と、
前記塑性加工成形体に対して800℃以上950℃以下の焼鈍熱処理を施す焼鈍工程と、
前記焼鈍した塑性加工成形体に対して所望の形状となるように機械加工を施して機械加工成形体を形成する機械加工工程と、
前記機械加工成形体に対して900℃以上1300℃以下の硬化熱処理を施す硬化工程と、
を有することを特徴とするCr-Fe-Ni系合金製造物の製造方法。
【請求項１６】
請求項１１又は請求項１２に記載のCr-Fe-Ni系合金製造物の製造方法であって、
前記Cr-Fe-Ni系合金の原料を混合・溶解して溶湯を形成する原料混合溶解工程と、
前記溶湯から合金粉末を形成するアトマイズ工程と、
を有することを特徴とするCr-Fe-Ni系合金製造物の製造方法。
【請求項１７】
請求項１３に記載のCr-Fe-Ni系合金製造物の製造方法であって、
前記Cr-Fe-Ni系合金の原料を混合・溶解して溶湯を形成する原料混合溶解工程と、
前記溶湯から合金粉末を形成するアトマイズ工程と、
前記合金粉末を用いてプレス成型または射出成型を行って粉末成形体を形成する粉末成型工程と、
前記粉末成形体に対して1000℃以上で前記Cr-Fe-Ni系合金の固相線温度未満の焼結熱処理を施して粉末焼結体を形成する焼結工程と、
前記粉末焼結体に対して900℃以上1300℃以下の硬化熱処理を施す硬化工程と、
を有することを特徴とするCr-Fe-Ni系合金製造物の製造方法。
【請求項１８】
請求項１７に記載のCr-Fe-Ni系合金製造物の製造方法であって、
前記焼結熱処理は、1000℃以上で前記Cr-Fe-Ni系合金の固相線温度未満かつ500気圧以上3000気圧以下の熱間等方圧加圧処理を含むことを特徴とするCr-Fe-Ni系合金製造物の製造方法。
【発明の詳細な説明】
【技術分野】
【０００１】
本発明は、高耐食性・高強度合金の技術に関し、特に、クロム（Cr）−鉄（Fe）−ニッケル（Ni）系合金を用いた製造物およびその製造方法に関するものである。
【背景技術】
【０００２】
内燃機関に使用される各種部材のうち、様々な品質の燃料およびその燃焼ガスや劣化した潤滑油と直接接触する部材（例えば、燃料噴射装置用部材、ターボチャージャー部材、排気再循環装置用部材、タイミングチェーン部材）は、厳しい腐食環境に耐えられる耐食性と高い機械的特性とが要求される。そのような要求を満たす素材として、現在、耐食性に優れるマルテンサイト系ステンレス鋼が広く用いられている。【０００３】
例えば、特許文献１（特開平6-58218）には、燃料噴射孔を備えたノズルボディと、該ノズルボディ内に形成された案内孔内で滑動する弁を備え、該弁がノズルボディの軸方向に移動することにより前記燃料噴射孔を開閉する燃料噴射装置であって、前記弁及び該弁が着座するノズルボディの少なくとも噴射孔シート部の少なくとも一方が、重量比にしてC：0.1〜0.5％、Cr：12〜18％、Mo：0.5〜1.5％、Si：0.03〜1.0％、Mn：0.03〜0.75％であり、残りはFe及び不可避不純物からなる冷間鍛造用マルテンサイト系ステンレス鋼であることを特徴とする高耐食燃料噴射装置が、開示されている。【０００４】
また、特許文献２（特開2015-40307）には、質量％で、C：0.60〜0.75％、Si：0.05〜0.30％、Mn：0.01〜0.30％、Cr：10.00〜12.00％、Cu：0.10〜2.00％、残部Fe及び不可避不純物からなることを特徴とする有機酸に対する耐食性に優れた高硬度マルテンサイト系ステンレス鋼が、開示されている。
【先行技術文献】
【特許文献】
【０００５】
【特許文献１】特開平６−５８２１８号公報
【特許文献２】特開２０１５−４０３０７号公報
【発明の概要】
【発明が解決しようとする課題】
【０００６】
特許文献１によると、ガソリン−アルコール混合燃料等の腐食性の強い燃料に対しても前記シート部及び前記弁は腐食損傷を起こすことが無いため、耐久性及び信頼性の高い燃料噴射装置を提供することができる、とされている。特許文献２によると、高圧環境下等で用いられる自動車燃料噴射ポンプ用部品等の用途に対して、劣化ガソリン環境においても優れた耐蟻酸性や耐酢酸性を示す高硬度マルテンサイト系ステンレス鋼を提供することができる、とされている。【０００７】
近年、燃焼制御技術の進展により、以前よりも高効率な内燃機関が実現してきているが、更なる高効率化の研究開発は激しさを増している。そして、当該研究開発の進展に伴って、使用される部材に対しても従来以上に高い耐食性および高い機械的特性が求められている。また、使用される部材を製造する際の機械加工性の良否は、製造コストに直結する重要な因子である。【０００８】
マルテンサイト系ステンレス鋼は、炭素成分量を増加させると機械的特性の向上に有効であるが、耐食性が低下するという弱点がある。一方、優れた耐食性と機械的特性とを兼ね備える金属材料としてニッケル基合金が挙げられるが、ニッケル基合金は材料コストが非常に高いという弱点がある。【０００９】
金属部材の研究開発において、求められる諸特性を満たすことは必須条件であるが、そのような金属部材を低コストで製造できるようにすることは、商用化の観点から最重要課題のうちの一つである。【００１０】
したがって、本発明の目的は、様々な品質の燃料やその燃焼ガスや劣化した潤滑油と直接接触するような厳しい腐食環境に耐えられる耐食性およびマルテンサイト系ステンレス鋼と同等以上の機械的特性を兼ね備え、かつニッケル基合金よりも低コスト化が可能な合金製造物、および該製造物の製造方法を提供することにある。
【課題を解決するための手段】
【００１１】
（I）本発明の一態様は、Cr-Fe-Ni系合金を用いた製造物であって、
前記合金は、その化学組成が、
45質量％以上75質量％以下のCrと、
10質量％以上33質量％以下のFeと、
10質量％以上40質量％以下のNiと、
0質量％超2質量％以下のMn（マンガン）と、
0質量％超1質量％以下のSi（ケイ素）と、
0.005質量％以上0.2質量％以下のAl（アルミニウム）と、
0質量％超2質量％以下のC（炭素）と、
0質量％超2質量％以下のN（窒素）と、
0質量％超0.2質量％以下のO（酸素）と、
0質量％超0.06質量％以下のP（リン）と、
0質量％超0.01質量％以下のS（硫黄）とを含み、
前記製造物は、その微細組織においてフェライト相の占有率が60％以上であることを特徴とするCr-Fe-Ni系合金製造物を提供するものである。【００１２】
本発明は、上記の本発明に係るCr-Fe-Ni系合金製造物（I）において、以下のような改良や変更を加えることができる。
（i）前記Cr、前記Feおよび前記Niが、それぞれ50質量％以上75質量％以下のCr、10質量％以上33質量％以下のFe、および10質量％以上17質量％未満のNiである。
（ii）随意成分として、0.1質量％以上5質量％以下のCu（銅）、0.1質量％以上3質量％以下のMo（モリブデン）、および0.02質量％以上0.3質量％以下のSn（スズ）のうちの少なくとも一種を更に含む。
（iii）随意成分として、V（バナジウム）、Nb（ニオブ）、Ta（タンタル）およびTi（チタン）のうちの少なくとも一種を更に含み、
前記V、Nb、TaおよびTiの合計原子含有率が、前記C、NおよびOの合計原子含有率の0.8倍以上2倍以下の範囲である。
（iv）JIS（日本工業規格） G 0591に準拠した硫酸腐食試験を行った場合に、平均質量減少速度が0.1 g/(m2・h)未満である。
（v）前記製造物のビッカース硬さが600 HV1以上である。
（vi）前記製造物のビッカース硬さが700 HV1以上である。
（vii）前記製造物は、鋳造組織を有する鋳造成形体である。
（viii）前記製造物は、再結晶組織を有する成形体である。
（ix）前記製造物は、急冷凝固組織を有する急冷凝固成形体である。
（x）前記製造物は、急冷凝固組織を有する粉体である。
（xi）前記急冷凝固成形体は、基材上に前記急冷凝固組織を有するCr-Fe-Ni系合金の被覆層が形成された複合体である。
（xii）前記製造物は、焼結組織を有する粉末冶金成形体である。
なお、本発明において、随意成分とは、含有してもよいし含有しなくてもよい成分を意味する。【００１３】
（II）本発明の一態様は、Cr-Fe-Ni系合金を用いた製造物であって、
前記合金は、その化学組成が、
54質量％以上75質量％以下のCrと、
10質量％以上27質量％以下のFeと、
10質量％以上25質量％以下のNiと、
0質量％超2質量％以下のMnと、
0質量％超0.5質量％以下のCと、
0質量％超0.1質量％以下のNと、
0質量％超2.8質量％以下のOとを含み、
残部が不純物からなることを特徴とするCr-Fe-Ni系合金製造物を提供するものである。【００１４】
本発明は、上記の本発明に係るCr-Fe-Ni系合金製造物（II）において、以下のような改良や変更を加えることができる。
（xiii）前記Niが10質量％以上17質量％未満である。
（xiv）水素イオン指数pH＝1、30℃の硫酸水溶液中における硫酸腐食試験を行った場合に、平均質量減少速度が0.02 mg/(cm2・h)未満である。
（xv）前記製造物のビッカース硬さが700 HV1以上である。
（xvi）前記製造物のビッカース硬さが800 HV1以上である。
（xvii）前記製造物は、鋳造組織を有する鋳造成形体である。
（xviii）前記製造物は、再結晶組織を有する成形体である。
（xix）前記製造物は、急冷凝固組織を有する急冷凝固成形体である。
（xx）前記製造物は、急冷凝固組織を有する粉体である。
（xxi）前記急冷凝固成形体は、基材上に前記急冷凝固組織を有するCr-Fe-Ni系合金の被覆層が形成された複合体である。
（xxii）前記製造物は、焼結組織を有する粉末冶金成形体である。【００１５】
（III）本発明の他の一態様は、上記のCr-Fe-Ni系合金製造物の製造方法であって、
前記Cr-Fe-Ni系合金の原料を混合・溶解して溶湯を形成する原料混合溶解工程と、
前記溶湯を鋳造して鋳造成形体を形成する鋳造工程と、
前記鋳造成形体に対して800℃以上950℃以下の焼鈍熱処理を施す焼鈍工程と、
前記焼鈍した鋳造成形体に対して所望の形状となるように機械加工を施して機械加工成形体を形成する機械加工工程と、
前記機械加工成形体に対して900℃以上1300℃以下の硬化熱処理を施す硬化工程と、
を有することを特徴とするCr-Fe-Ni系合金製造物の製造方法を提供するものである。【００１６】
（IV）本発明の更に他の一態様は、上記のCr-Fe-Ni系合金製造物の製造方法であって、
前記Cr-Fe-Ni系合金の原料を混合・溶解して溶湯を形成する原料混合溶解工程と、
前記溶湯を鋳造して鋳造成形体を形成する鋳造工程と、
前記鋳造成形体に対して塑性加工を施して塑性加工成形体を形成する塑性加工工程と、
前記塑性加工成形体に対して800℃以上950℃以下の焼鈍熱処理を施す焼鈍工程と、
前記焼鈍した塑性加工成形体に対して所望の形状となるように機械加工を施して機械加工成形体を形成する機械加工工程と、
前記機械加工成形体に対して900℃以上1300℃以下の硬化熱処理を施す硬化工程と、
を有することを特徴とするCr-Fe-Ni系合金製造物の製造方法を提供するものである。【００１７】
（V）本発明の更に他の一態様は、上記のCr-Fe-Ni系合金製造物の製造方法であって、前記Cr-Fe-Ni系合金の原料を混合・溶解して溶湯を形成する原料混合溶解工程と、
前記溶湯から合金粉末を形成するアトマイズ工程と、
を有することを特徴とするCr-Fe-Ni系合金製造物の製造方法を提供するものである。【００１８】
（VI）本発明の更に他の一態様は、上記のCr-Fe-Ni系合金製造物の製造方法であって、
前記Cr-Fe-Ni系合金の原料を混合・溶解して溶湯を形成する原料混合溶解工程と、
前記溶湯から合金粉末を形成するアトマイズ工程と、
前記合金粉末を用いてプレス成型または射出成型を行って粉末成形体を形成する粉末成型工程と、
前記粉末成形体に対して1000℃以上で前記合金の固相線温度未満の焼結熱処理を施して粉末焼結体を形成する焼結工程と、
前記粉末焼結体に対して900℃以上1300℃以下の硬化熱処理を施す硬化工程と、
を有することを特徴とするCr-Fe-Ni系合金製造物の製造方法を提供するものである。【００１９】
本発明は、上記の本発明に係るCr-Fe-Ni系合金製造物の製造方法（VI）において、以下のような改良や変更を加えることができる。
（xxiii）前記焼結熱処理は、1000℃以上で前記合金の固相線温度未満かつ500気圧以上3000気圧以下の熱間等方圧加圧処理を含む。【００２０】
また、本発明は、上記の本発明に係るCr-Fe-Ni系合金製造物の製造方法（III）〜（VI）において、以下のような改良や変更を加えることができる。
（xxiv）前記原料混合溶解工程は、前記原料を混合・溶解して溶湯を形成した後に一旦凝固させて原料合金塊を形成する原料合金塊形成素工程と、前記原料合金塊を再溶解して清浄化溶湯を用意する再溶解素工程とからなる。
【発明の効果】
【００２１】
本発明によれば、様々な品質の燃料やその燃焼ガスや劣化した潤滑油と直接接触するような厳しい腐食環境に耐えられる耐食性およびマルテンサイト系ステンレス鋼と同等以上の機械的特性を兼ね備えた金属部材であり、かつNi基合金部材よりも低コスト化が可能な部材として、Cr-Fe-Ni系合金を用いた製造物および該製造物の製造方法を得ることができる。
【図面の簡単な説明】
【００２２】
【図１】本発明に係るCr-Fe-Ni系合金製造物の一例であり、鋳造した後に硬化熱処理を施した成形体の表面研磨面の微細組織例を示す光学顕微鏡写真である。
【図２】本発明に係るCr-Fe-Ni系合金製造物の製造方法の一例であり、鋳造材の製造方法を示す工程図である。
【図３】本発明に係るCr-Fe-Ni系合金製造物の製造方法の他の一例であり、熱間加工材の製造方法を示す工程図である。
【図４】本発明に係るCr-Fe-Ni系合金製造物の製造方法の他の一例であり、急冷凝固材の製造方法を示す工程図である。
【図５】本発明に係るCr-Fe-Ni系合金製造物の製造方法の他の一例であり、粉末冶金材の製造方法を示す工程図である。
【図６Ａ】本発明に係るCr-Fe-Ni系合金製造物およびそれを利用した工業製品の一例であり、自動車エンジン用の燃料噴射装置の断面模式図である。
【図６Ｂ】本発明に係るCr-Fe-Ni系合金製造物およびそれを利用した工業製品の他の一例あり、ローラーチェーンの平面模式図である。
【図６Ｃ】本発明に係るCr-Fe-Ni系合金製造物およびそれを利用した工業製品の他の一例であり、射出成形金型の断面模式図である。
【図６Ｄ】本発明に係るCr-Fe-Ni系合金製造物およびそれを利用した工業製品の他の一例であり、ターボチャージャー部材の平面模式図（表面および裏面）である。
【図６Ｅ】本発明に係るCr-Fe-Ni系合金製造物およびそれを利用した工業製品の他の一例であり、破砕機械の断面模式図である。
【発明を実施するための形態】
【００２３】
本発明者等は、Cr、FeおよびNiを主要成分とするCr-Fe-Ni系合金、特にCrを45質量％以上含むCr-Fe-Ni系合金を用いた製造物において、化学組成、金属組織形態、機械的特性、および耐食性の関係について鋭意調査検討し、本発明を完成させた。
【００２４】
以下、本発明の実施形態について図面を参照しながら具体的に説明する。また、本発明は、ここで取り挙げた実施形態に限定されるものではなく、その発明の技術的思想を逸脱しない範囲で公知技術と適宜組み合わせたり公知技術に基づいて改良したりすることが可能である。ただし、同義の状態・工程については、同じ符号を付して重複する説明を省略する。
【００２５】
［本発明のCr-Fe-Ni系合金の化学組成］
前述したように、本発明に係る合金は、Cr、FeおよびNiを主要成分とするCr-Fe-Ni系合金であり、副成分としてMn、Si、Al、C、NおよびOを含み、不純物（例えば、PおよびS）を含む。随意的にCu、MoおよびSnのうちの一種以上、および／またはV、Nb、TaおよびTiのうちの一種以上を更に含んでもよい。なお、主要成分と副成分と随意成分との合計含有率は99質量％超が好ましい。言い換えると、不純物の含有率は1質量％未満が好ましい。
【００２６】
以下、本発明に係るCr-Fe-Ni系合金の組成（各成分）について説明する。なお、以下で説明する元素以外の残部成分は、制御が難しい不純物である。
【００２７】
Cr：45質量％以上75質量％以下
Cr成分は、本Cr-Fe-Ni系合金の主要成分の１つであり、高耐食性のフェライト相の形成に寄与すると共に、オーステナイト相においても耐食性の向上に寄与する成分である。加えて、合金材の表面にCr酸化物被膜（例えば、Cr2O3）を形成した場合に、耐食性を更に向上させる作用効果もある。Cr成分の含有率は、45質量％以上75質量％以下が好ましい。Cr含有率が45質量％未満になると、Cr-Fe-Ni系合金の耐食性および機械的特性（例えば、硬さ、延性、靱性）が不十分になる。一方、Cr含有率が75質量％超になると、Cr-Fe-Ni系合金の機械的特性が低下する。
【００２８】
Cr成分の含有率は、50質量％以上がより好ましく、52質量％以上が更に好ましく、54質量％以上が更に好ましく、57質量％以上が更に好ましく、62質量％以上が特に好ましい。また、Cr成分の含有率は、73質量％以下がより好ましく、71質量％以下が更に好ましく、65質量％以下が特に好ましい。
【００２９】
耐食性と材料コストとの観点から、主要３成分（Cr、Fe、Ni）のうちでCr成分が最大含有率であることが好ましい。言い換えると、本発明のCr-Fe-Ni系合金は、Niよりも安価なCrを最大成分とすることから、Niを最大成分とするNi基合金よりも材料コストを低減できる利点と共に、Ni基合金と同等以上の耐食性を確保できる利点がある。
【００３０】
Fe：10質量％以上33質量％以下
Fe成分も、本Cr-Fe-Ni系合金の主要成分の１つであり、良好な機械的特性を確保するための基本成分である。Fe成分の含有率は、10質量％以上33質量％以下が好ましい。Fe含有率が10質量％未満になると、Cr-Fe-Ni系合金の機械的特性が不十分になる。一方、Fe含有率が33質量％超になると、800℃近傍の温度域で脆性の金属間化合物のσ相（FeCr相を基本とする金属間化合物相）が生成し易くなり、Cr-Fe-Ni系合金の延性・靱性が著しく低下する（いわゆるσ相脆化）。言い換えると、Feの含有率を10〜33質量％の範囲に制御することにより、Cr-Fe-Ni系合金のσ相脆化を抑制して良好な機械的特性を確保することができる。
【００３１】
Fe成分の含有率は、11質量％以上がより好ましく、17質量％以上が更に好ましい。また、Fe成分の含有率は、31質量％以下がより好ましく、29質量％以下が更に好ましく、27質量％以下が更に好ましく、26質量％以下が特に好ましい。
【００３２】
Ni：10質量％以上40質量％以下
Ni成分も、本Cr-Fe-Ni系合金の主要成分の１つであり、良好な加工性を有するオーステナイト相の形成に寄与すると共に、フェライト相においても延性・靱性の向上に寄与する成分である。Ni成分の含有率は、10質量％以上40質量％以下が好ましい。Ni含有率が10質量％未満になると、Cr-Fe-Ni系合金の加工性が低下する。一方、Ni含有率が40質量％超になると、Cr-Fe-Ni系合金の硬さが不十分になる。
【００３３】
Ni成分の含有率は、35質量％以下がより好ましく、25質量％以下が更に好ましく、24質量％以下が更に好ましく、20質量％以下が更に好ましい。また、合金の硬さを重要視する場合、Ni成分の含有率は17質量％未満が特に好ましい。
【００３４】
Fe＋Ni：25質量％以上50質量％以下
Fe成分とNi成分との合計含有率は、25質量％以上50質量％以下が好ましい。該合計含有率が25質量％未満になると、Cr-Fe-Ni系合金の加工性が不十分になる。一方、該合計含有率が50質量％超になると、機械的特性が不十分になる。
【００３５】
該合計含有率の含有率は、26質量％以上がより好ましく、34質量％以上が更に好ましい。また、該合計含有率の含有率は、48質量％以下がより好ましく、45質量％以下が更に好ましく、41質量％以下が更に好ましく、40質量％以下が特に好ましい。
【００３６】
Mn：0質量％超2質量％以下
Mn成分は、本Cr-Fe-Ni系合金の副成分の１つであり、脱硫・脱酸素の役割を担って機械的特性の向上および耐炭酸ガス腐食性の向上に寄与する成分である。Mn成分の含有率は、0質量％超2質量％以下が好ましい。Mn含有率が2質量％超になると、硫化物（例えばMnS）の粗大粒子を形成して耐食性や機械的特性の低下要因になる。
【００３７】
Mn成分の含有率は、0.2質量％以上がより好ましく、0.3質量％以上が更に好ましく、1質量％以上が特に好ましい。
【００３８】
Si：0質量％超1質量％以下
Si成分も、本Cr-Fe-Ni系合金の副成分の１つであり、脱酸素の役割を担って機械的特性の向上に寄与する成分である。Si成分を含有させる場合、その含有率は、0質量％超1質量％以下が好ましい。Si含有率が1質量％超になると、酸化物（例えばSiO2）の粗大粒子を形成して機械的特性の低下要因になる。
【００３９】
Si成分の含有率は、0.1質量％以上がより好ましく、0.3質量％以上が更に好ましい。また、Si成分の含有率は、0.8質量％以下がより好ましい。
【００４０】
Al：0.005質量％以上0.2質量％以下
Al成分も、本Cr-Fe-Ni系合金の副成分の１つであり、MnおよびSi成分と組み合わせることで脱酸素作用の向上に寄与する成分である。Al成分を含有させる場合、その含有率は、0.005質量％以上0.2質量％以下が好ましい。Al含有率が0.005質量％未満になると、Al成分による作用効果が十分に得られない。また、Al含有率が0.2質量％超になると、酸化物や窒化物（例えば、Al2O3やAlN）の粗大粒子を形成して機械的特性の低下要因になる。
【００４１】
Al成分の含有率は、0.008質量％以上がより好ましく、0.01質量％以上が更に好ましい。また、Al成分の含有率は、0.1質量％以下がより好ましく、0.05質量％以下が更に好ましい。
【００４２】
C：0質量％超2質量％以下
C成分は、母相中に固溶したり炭化物として晶出または析出したりすることによって合金を硬化させる作用効果がある。また、本合金の粉末を焼結させる場合（例えば、後述する焼結工程において）、焼結性を向上させる作用効果がある。C成分の含有率は、0質量％超2質量％以下に制御することが好ましい。C含有率が2質量％超になると、本Cr-Fe-Ni系合金の構成成分と化合して粗大粒子（例えばCr炭化物粒子）を形成して耐食性や機械的特性の低下要因になる。
【００４３】
ここで、本発明のCr-Fe-Ni系合金製造物において、耐食性をより重要視する場合（例えば、硬さなどの機械的強度よりも耐食性が重要になる場合）、C成分の含有率は、0.1質量％以下がより好ましく、0.03質量％以下が更に好ましい。
【００４４】
一方、機械的強度をより重要視する場合（例えば、耐食性よりも機械的強度が重要になる場合）、C成分の含有率は、0.03質量％超がより好ましく、0.05質量％超が更に好ましく、0.1質量％超が更に好ましく、0.2質量％超が更に好ましく、0.3質量％超が特に好ましい。また、C成分の含有率は、1質量％以下がより好ましく、0.5質量％以下が更に好ましい。
【００４５】
N：0質量％超2質量％以下
N成分は、母相中に固溶したり窒化物として晶出または析出したりすることによって機械的特性（例えば硬さ）を向上させる作用効果がある。N成分の含有率は、0質量％超2質量％以下に制御することが好ましい。N含有率が2質量％超になると、本Cr-Fe-Ni系合金の構成成分と化合して粗大粒子（例えばCr窒化物粒子）を形成して機械的特性（特に、延性、靱性）の低下要因になる。
【００４６】
ここで、本発明のCr-Fe-Ni系合金製造物において、耐食性をより重要視する場合、N成分の含有率は、0.1質量％以下がより好ましく、0.02質量％以下が更に好ましい。
【００４７】
一方、機械的強度をより重要視する場合、N成分の含有率は、0.02質量％超がより好ましく、0.06質量％超が更に好ましく、0.2質量％超が特に好ましい。
【００４８】
O：0質量％超0.2質量％以下
O成分は、前述したCr-Fe-Ni系合金製造物（I）において、該合金の構成成分と化合して微細な酸化物粒子を形成した場合に、機械的特性（例えば硬さ）を向上させる作用効果がある。O成分の含有率は、0質量％超0.2質量％以下に制御することが好ましい。O含有率が0.2質量％超になると、粗大な酸化物粒子（例えば、Fe酸化物粒子、Si酸化物粒子、Al酸化物粒子）を形成して機械的特性（特に、延性、靱性）の低下要因になる。
【００４９】
ここで、本発明のCr-Fe-Ni系合金製造物において、耐食性をより重要視する場合、O含有率は、0質量％超0.05質量％以下がより好ましく、0質量％超0.03質量％以下が更に好ましい。一方、機械的強度をより重要視する場合、O含有率は、0.05質量％超0.2質量％以下がより好ましく、0.07質量％超0.2質量％以下が更に好ましい。
【００５０】
前述したCr-Fe-Ni系合金製造物（II）の場合、O含有率が0.2質量％超であっても良好な機械的特性と高い耐硫酸性が得られる。具体的には、O成分の含有率は、0質量％超2質量％以下が好ましく、0.01質量％以上1.8質量％以下がより好ましく、0.02質量％以上1質量％以下が更に好ましく、0.02質量％以上0.8質量％以下が特に好ましい。
【００５１】
O含有率に関するCr-Fe-Ni系合金製造物（I）とCr-Fe-Ni系合金製造物（II）との差異の要因は、残念ながら現段階で未解明である。ただし、Cr-Fe-Ni系合金製造物（II）においては、一次合金製造物が急冷凝固粉末であり、当該急冷凝固粉末を用いて粉末冶金成形体の二次合金製造物を製造する場合、粉末冶金成形体の製造過程（例えば、焼結工程）においてO成分の離脱（O含有率の低下）が起こりうる。そのため、Cr-Fe-Ni系合金製造物（II）の急冷凝固粉末は、O成分の上限含有率が2.8質量％まで許容される。
【００５２】
本Cr-Fe-Ni系合金における代表的な不純物として、PおよびSが挙げられる。次に、これら不純物について説明する。
【００５３】
P：0質量％超0.06質量％以下
P成分は、本Cr-Fe-Ni系合金の結晶粒界に偏析し易く、機械的特性や粒界の耐食性を低下させる不純物成分である。P成分の含有率を0.06質量％以下に制御することで、それらの負の影響を抑制することができる。P含有率は、0.03質量％以下がより好ましい。
【００５４】
S：0質量％超0.01質量％以下
S成分は、本Cr-Fe-Ni系合金の構成成分と化合して比較的低融点の硫化物（例えば、Fe硫化物、Mn硫化物）を生成し易く、機械的特性や耐孔食性を低下させる不純物成分である。S成分の含有率を0.01質量％以下に制御することで、それらの負の影響を抑制することができる。S含有率は、0.003質量％以下がより好ましい。
【００５５】
本Cr-Fe-Ni系合金は、Cu、MoおよびSnのうちの一種以上、および／またはV、Nb、TaおよびTiのうちの一種以上を随意成分として更に含有してもよい。随意成分とは、前述したように、含有してもよいし含有しなくてもよい成分を意味する。以下、これら随意成分について説明する。
【００５６】
Cu：0.1質量％以上5質量％以下
Cu成分は、本Cr-Fe-Ni系合金において耐食性の向上に寄与する随意成分である。Cu成分を含有する場合、その含有率は、0.1質量％以上5質量％以下が好ましく、0.1質量％以上4質量％以下がより好ましい。Cu含有率が0.1質量％未満になると、Cu成分に基づく作用効果が十分に得られない（特段の不具合は生じない）。また、Cu含有率が5質量％超になると、フェライト相中にCu析出物を生成し易くなり、合金の延性・靭性の低下要因になる。
【００５７】
Mo：0.1質量％以上3質量％以下
Mo成分は、本Cr-Fe-Ni系合金において耐食性の向上に寄与する随意成分である。具体的には、不動態皮膜の安定化に寄与し、耐孔食性の向上が期待できる。Mo成分を含有する場合、その含有率は、0.1質量％以上3質量％以下が好ましく、0.1質量％以上2質量％以下がより好ましい。Mo含有率が0.1質量％未満になると、Mo成分に基づく作用効果が十分に得られない（特段の不具合は生じない）。また、Mo含有率が3質量％超になると、脆化相（例えばσ相）の生成を助長し、合金の延性・靭性の低下要因になる。
【００５８】
Sn：0.02質量％以上0.3質量％以下
Sn成分は、本Cr-Fe-Ni系合金において不動態皮膜強化の役割を担い、耐食性・耐摩耗性の向上に寄与する随意成分である。具体的には、塩化物イオンや酸性の腐食環境に対する耐性の向上が期待できる。Sn成分の含有率は、0.02質量％以上0.3質量％以下が好ましく、0.05質量％以上0.3質量％以下がより好ましい。Sn含有率が0.02質量％未満になると、Sn成分に基づく作用効果が十分に得られない（特段の不具合は生じない）。また、Sn含有率が0.3質量％超になると、Sn成分の粒界偏析を生じさせて合金の延性・靱性の低下要因になる。
【００５９】
V成分、Nb成分、Ta成分、およびTi成分は、それぞれ本Cr-Fe-Ni系合金において脱炭素・脱窒素・脱酸素の役割を担う随意成分である。C成分、N成分およびO成分と微細な化合物粒子を形成して、正の作用効果に寄与しない余剰分のC、NおよびOを捕捉・安定化する（粗大粒子の形成を抑制する）ことにより、合金の機械的特性を改善する（靱性低下を抑制する）ことができる。
【００６０】
また、V成分は、合金の機械的特性（例えば、硬さ）を向上させる副次的な作用効果がある。Nb成分も、合金の機械的特性（例えば、靱性）を向上させる副次的な作用効果がある。Ta成分やTi成分は、合金の耐食性を向上させる副次的な作用効果がある。
【００６１】
V、Nb、TaおよびTiのうちの一種以上の合計原子含有率（原子％）は、C、NおよびO成分の合計原子含有率（原子％）の0.8倍以上2倍以下の範囲となるように制御することが好ましく、0.8倍以上1.5倍以下の範囲がより好ましい。随意成分の合計含有率が、C、NおよびOの合計原子含有率の0.8倍未満になると、上記の作用効果が十分に得られない（特段の不具合は生じない）。一方、V、Nb、TaおよびTiのうちの一種以上の合計原子含有率が、C、NおよびOの合計原子含有率の2倍超になると、合金の延性・靭性の低下要因になる。
【００６２】
［本発明のCr-Fe-Ni系合金製造物の微細組織］
本発明に係るCr-Fe-Ni系合金製造物の微細組織（金属組織とも言う）について説明する。
【００６３】
一般的に、主要成分にFeを含む合金の微細組織は、体心立方格子の結晶構造を有するフェライト組織（フェライト相、α相とも言う）と、面心立方格子の結晶構造を有するオーステナイト組織（オーステナイト相、γ相とも言う）と、ひずんだ体心立方格子の結晶構造を有するマルテンサイト組織（マルテンサイト相、α’相とも言う）とに大別される。
【００６４】
本発明のCr-Fe-Ni系合金製造物中のフェライト相は、Cr含有率の高いフェライト相（以下、単純に「高Crフェライト相」や「フェライト相」と称する場合がある）であり、耐食性（例えば、耐SCC性）に優れ、高い機械的強度（例えば、0.2％耐力や硬さ）を有するが、オーステナイト相に比して延性・靭性が相対的に低いとされている。オーステナイト相は、高Crフェライト相に比して相対的に高い延性・靭性を有するが、機械的強度が相対的に低いとされている。また、通常環境において高い耐食性を示すが、腐食環境が厳しくなると耐SCC性が急激に低下するとされている。
【００６５】
本発明に係るCr-Fe-Ni系合金製造物は、使用される部材に加工した後の使用時には、微細組織として、オーステナイト相および高Crフェライト相の二相が混在する二相組織、または高Crフェライト相の単相組織を有する。高Crフェライト相の単相組織の場合、上述した高Crフェライト相の利点（耐SCC性を含む優れた耐食性、高い機械的強度）を存分に享受できる。一方、二相組織の場合、高Crフェライト相の利点とオーステナイト相の利点（優れた延性・靭性）とをバランスよく示すことができる。
【００６６】
本Cr-Fe-Ni系合金製造物において、組織全体のうちのフェライト相の占有率（以下、単純に「フェライト率」と称する場合がある）は、機械的強度の観点から60％以上が好ましく、70％以上がより好ましく、80％以上が更に好ましい。残部（すなわち40％以下）は、オーステナイト相であることが好ましい。
【００６７】
本発明における相の占有率とは、合金バルク試料の研磨面に対して、後方散乱電子回折像（EBSP）解析を行ったときの当該相の含有率（単位：面積％）、または合金バルク試料の研磨面に対する走査型電子顕微鏡（SEM）による観察像に画像処理ソフトウェア（ImageJ、National Institutes of Health開発のパブリックドメインソフトウェア）を用いた画像解析を行ったときの当該相の含有率（単位：面積％）と定義する。
【００６８】
なお、フェライト相およびオーステナイト相以外の脆性の金属間化合物などの相（例えば、σ相などの異相）は、本Cr-Fe-Ni系合金製造物中に検出されないことが望ましいが、機械的特性や耐食性に著しい悪影響を及ぼさない範囲（例えば、異相の合計占有率が3面積％以下）ならば許容される。
【００６９】
本Cr-Fe-Ni系合金製造物は、所定の焼鈍熱処理を施すとオーステナイト相の占有率が増加して（フェライト率が減少して）加工性を向上させることが可能であり、最終形状に加工した後に所定の硬化熱処理を施すとフェライト率が増加して（オーステナイト相の占有率が減少して）機械的強度を向上させることが可能であるという極めて魅力的な特長がある。詳細は後述する。
【００７０】
また、本Cr-Fe-Ni系合金製造物は、製造方法に起因する金属組織（結晶粒の形状から判別される微細組織）において特別な限定は無く、鋳造組織であってもよいし、熱間加工組織であってもよいし、急冷凝固組織であってもよいし、焼結組織であってもよい。また、所望の形状に成形した後に、溶体化熱処理および／または硬化熱処理を施した金属組織であってもよい。
【００７１】
なお、機械的特性および耐食性の観点からは、高Crフェライト相およびオーステナイト相の結晶粒径が小さい金属組織（例えば、熱間加工組織、急冷凝固組織、焼結組織）を有する方が有利である。具体的には、平均結晶粒径は40μm以下であることが好ましく、30μm以下がより好ましく、20μm以下が更に好ましい。
【００７２】
本発明における高Crフェライト相およびオーステナイト相の平均結晶粒径は、微細組織観察像に対する従前の画像処理技術で解析・算出される平均結晶粒径を採用することができる。例えば、合金バルク試料の研磨面の光学顕微鏡観察像または電子顕微鏡観察像（視野面積100μm×100μm以上の観察像）を画像解析ソフト（例えば、ImageJ）で読み込んで、当該視野内の結晶粒の平均面積を解析した後、該平均面積と等価面積の円の直径を平均結晶粒径として算出する。
【００７３】
図１は、本発明に係るCr-Fe-Ni系合金製造物の一例であり、鋳造した後に硬化熱処理を施した成形体の表面研磨面の微細組織例を示す光学顕微鏡写真である。図１に示したように、明色のオーステナイト相P1と暗色のフェライト相P2とが互いに分散混合した二相組織を有していることが確認される。
【００７４】
［本発明のCr-Fe-Ni系合金製造物の製造方法］
次に、本発明のCr-Fe-Ni系合金製造物の製造方法について説明する。
【００７５】
（鋳造材の製造方法）
図２は、本発明に係るCr-Fe-Ni系合金製造物の製造方法の一例であり、鋳造材の製造方法を示す工程図である。図２に示したように、まず、所望の組成（主要成分＋副成分＋必要に応じて随意成分）となるようにCr-Fe-Ni系合金の原料を混合・溶解して溶湯10を形成する原料混合溶解工程（ステップ１：S1）を行う。原料の混合方法や溶解方法に特段の限定はなく、高耐食性・高強度合金の製造における従前の方法を利用できる。溶湯10を精錬してもよい。
【００７６】
また、合金中の不純物成分（PおよびS）の含有率をより低減する（合金の清浄度を高める）ため、原料混合溶解工程S1が、Cr-Fe-Ni系合金の原料を混合・溶解して溶湯10を形成した後に一旦凝固させて原料合金塊11を形成する原料合金塊形成素工程（ステップ１ａ：S1a）と、該原料合金塊11を再溶解して清浄化溶湯12を用意する再溶解素工程（ステップ１ｂ：S1b）とからなることはより好ましい。合金の清浄度を高められる限り再溶解方法に特段の限定はないが、例えば、真空アーク再溶解（VAR）やエレクトロスラグ再溶解（ESR）を好ましく利用できる。
【００７７】
次に、所定の鋳型を用いて溶湯10を鋳造して鋳造成形体20を形成する鋳造工程（ステップ２：S2）を行う。なお、上述したように再溶解工程S1bを行った場合は、鋳造工程S2は、清浄化溶湯12を鋳造して鋳造成形体20を形成する工程となる。なお、精密鋳造の場合（最終製品形状に近い形状となる鋳造成形体を得ようとする場合）は、原料混合溶解工程S1で成分調整した溶湯10を一旦鋳造して大型の母合金塊を用意し、該母合金塊を適度な大きさに分割した後、再溶解して、精密鋳造用鋳型で鋳造を行うことがある。その場合、最終製品の機械的特性および耐食性の観点から凝固時の結晶粒粗大化（粗大な鋳造凝固組織）を抑制できる冷却速度を確保することが好ましい。
【００７８】
得られた鋳造成形体20に対して、所望の形状となるように機械加工を施そうとする場合（例えば、鋳造成形体20の形状が最終製品の形状と異なる場合）、機械加工を施す前に、鋳造成形体20に対して800℃以上950℃以下の焼鈍熱処理を施す焼鈍工程（ステップ３：S3）を行ってもよい。焼鈍工程S3は必須の工程ではないが、機械加工性向上の観点からは行うことが好ましい。焼鈍熱処理を施すことにより、合金中のオーステナイト相の占有率が増加して（フェライト率が減少して）延性・靱性の向上および硬さの低下が生じ（例えば、500 HV1未満のビッカース硬さが得られ）、鋳造成形体20の機械加工性を向上させることができる。
【００７９】
次に、焼鈍した鋳造成形体20に対して所望の形状となるように機械加工を施して機械加工成形体30を形成する機械加工工程（ステップ４：S4）を行う。なお、本発明における機械加工とは、所望形状に成形するために工作機械を用いて行う加工（例えば、切削加工、研削加工、放電加工、レーザー加工、ウォータージェット加工）を意味するものとする。
【００８０】
次に、機械加工成形体30に対して900℃以上1300℃以下の硬化熱処理（いわゆる、焼入れ）を施す硬化工程（ステップ５：S5）を行う。硬化熱処理の温度は、先の焼鈍熱処理の温度よりも100℃以上高いことが好ましい。熱処理時間としては、0.5〜6時間保持の範囲で適宜調整すればよい。硬化熱処理を施すことにより、合金中のフェライト率が増加して（オーステナイト相の占有率が減少して）機械加工成形体30の機械的強度を向上させることができる（例えば、600 HV1以上のビッカース硬さが得られる）。また、微細組織としては、硬化工程S5を行うことにより、再結晶粒が見られる組織（再結晶組織）を示す場合がある。
【００８１】
なお、硬化工程S5の後に、仕上加工工程として機械加工（例えば、研磨）を行ってもよい。仕上加工工程は、他の製造物に対しても同様である。
【００８２】
（塑性加工材の製造方法）
図３は、本発明に係るCr-Fe-Ni系合金製造物の製造方法の他の一例であり、塑性加工材の製造方法を示す工程図である。図３では、棒状材を作製する工程について示した。また、図面の簡単化のため、原料合金塊形成素工程S1aおよび再溶解素工程S1bの記載を省略したが、当然のことながらそれらの素工程を行ってもよい。
【００８３】
図３に示したように、塑性加工材の製造方法は、図２の鋳造材の製造方法における鋳造工程S2と焼鈍工程S3との間に、塑性加工工程（ステップ６：S6）を有する点で異なり、他の工程を同じとするものである。そこで、塑性加工工程S6についてのみ説明する。
【００８４】
塑性加工材の製造方法では、鋳造工程S2で得られた鋳造成形体20に対して、塑性加工を施して塑性加工成形体40を形成する塑性加工工程S6を行う。塑性加工の種類・方法に特段の限定はなく、従前の種類・方法（例えば、鍛造、押出、引抜、圧延、それぞれ熱間、温間、冷間を含む）を利用できる。
【００８５】
塑性加工を施すことにより、鋳造成形体20の鋳造凝固組織を壊して、鋳造組織の結晶粒よりも平均結晶粒径が小さい微細組織を有するCr-Fe-Ni系合金の塑性加工成形体40を得ることができる。
【００８６】
なお、塑性加工成形体40に機械加工を施した機械加工成形体30’は、硬化工程S5を行うことにより、再結晶粒が見られる微細組織（再結晶組織）となる。
【００８７】
（急冷凝固材の製造方法）
図４は、本発明に係るCr-Fe-Ni系合金製造物の製造方法の他の一例であり、急冷凝固材の製造方法を示す工程図である。図４では、粉体および肉盛溶接材を作製する工程について示した。また、図面の簡単化のため、原料合金塊形成素工程S1aおよび再溶解素工程S1bの記載を省略したが、当然のことながらそれらの素工程を行ってもよい。
【００８８】
図４に示したように、急冷凝固材（ここでは、粉体（急冷凝固合金粉末と称することがある）および肉盛溶接材）の製造方法は、原料混合溶解工程S1を図２の鋳造材の製造方法と同じとし、鋳造工程S2および機械加工工程S4の代わりにアトマイズ工程（ステップ７：S7）、分級工程（ステップ８：S8）および肉盛溶接工程（ステップ９：S9）を行う点で異なる。そこで、アトマイズ工程S7〜肉盛溶接工程S9について説明する。
【００８９】
アトマイズ工程S7を行うことにより、溶湯10または清浄化溶湯11からCr-Fe-Ni系合金の急冷凝固合金粉末50を得ることができる。アトマイズ方法に特段の限定はなく、従前のアトマイズ方法を利用できる。例えば、肉盛用粉末用途では、高清浄・均質組成・球形状粒子が得られるガスアトマイズ法を用いることができる。また、粉末冶金用途では、不規則形状粉末が得られる水アトマイズ法を用いることができる。
【００９０】
アトマイズ工程S7の後、急冷凝固合金粉末50に対して、所望の粒径に揃えるための分級工程S8を行ってもよい。分級工程S8は必須の工程ではないが、急冷凝固合金粉末50の利用性向上の観点からは行うことが好ましい。また、分級する粒径に特段の限定はないが、ハンドリング性の観点から、例えば、10μm以上200μm以下の平均粒径となるように急冷凝固合金粉末50を分級することが好ましい。得られた急冷凝固合金粉末50は、例えば、溶接材料、粉末冶金用材料、積層造形用材料として好適に用いることができる。
【００９１】
なお、急冷凝固合金粉末の金属組織の特徴は、基地がフェライト単相組織となることである。このフェライト単相の金属組織を急冷凝固組織と呼ぶ。
【００９２】
次に、急冷凝固合金粉末50を用いて所望の基材61上に肉盛溶接工程S9を行うことにより、基材61上に急冷凝固組織を有する合金被覆層62が形成された肉盛溶接材60を得ることができる。なお、本発明においては、肉盛溶接工程S9は、金属粉末を用いた溶射を含むものとする。
【００９３】
また、肉盛溶接工程S9の後、合金被覆層62の機械的特性を調整するため（例えば、硬さを向上させるため）、硬化工程S5を行ってもよい。
【００９４】
（粉末冶金材の製造方法）
図５は、本発明に係るCr-Fe-Ni系合金製造物の製造方法の他の一例であり、粉末冶金材の製造方法を示す工程図である。図５では、粉末焼結体を作製する工程について示した。また、図面の簡単化のため、原料合金塊形成素工程S1aおよび再溶解素工程S1bの記載を省略したが、当然のことながらそれらの素工程を行ってもよい。
【００９５】
図５に示したように、粉末冶金材の製造方法は、アトマイズ工程S7または分級工程S8までを図４の急冷凝固材の製造方法と同じとし、肉盛溶接工程S9の代わりに粉末成型工程（ステップ１０：S10）および焼結工程（ステップ１１：S11）を行う点で異なる。そこで、粉末成型工程S10および焼結工程S11ついて説明する。
【００９６】
急冷凝固合金粉末50を用いて粉末成型工程S10を行うことにより、所望形状を有するCr-Fe-Ni系合金の粉末成形体70を得ることができる。粉末成型方法に特段の限定はなく、従前の金属粉末成型方法を利用できる。例えば、プレス成型や射出成型を好ましく用いることができる。
【００９７】
次に、粉末成形体60に対して、1000℃以上で合金の固相線温度未満の焼結熱処理を施して粉末焼結体80を形成する焼結工程S11を行う。焼結熱処理方法に特段の限定はなく、従前の方法を利用できる。また、粉末焼結体80の緻密化の観点から、焼結熱処理は、1000℃以上で合金の固相線温度未満かつ500気圧以上3000気圧以下の熱間等方圧加圧（HIP）処理を含むことがより好ましい。
【００９８】
粉末焼結体80に対して、焼鈍工程S3および機械加工工程S4を行ってもよい。粉末冶金材の製造において、焼鈍工程S3および機械加工工程S4は必須の工程ではないため、必要に応じて行えばよい。
【００９９】
また、前述の他の製造物と同様に、粉末焼結体80に対して、900℃以上1300℃以下の硬化熱処理を施す硬化工程S5を行うことが好ましい。
【０１００】
［本発明のCr-Fe-Ni系合金製造物］
上記のようにして製造したCr-Fe-Ni系合金製造物は、マルテンサイト系ステンレス鋼と同等以上の機械的特性と高い耐食性とを有しながら、Niに比して安価なCrを最大成分とすることから、Ni基合金製造物よりも低コスト化を図ることができる。
【０１０１】
その結果、本発明のCr-Fe-Ni系合金製造物は、厳しい腐食環境に耐えられる耐食性と高い機械的特性とが要求される種々の部材として好適に利用できる。当該適用部材としては、自動車用部材（例えば、燃料噴射装置部材、ローラーチェーン部材、ターボチャージャー部材、エンジン排気系統部材、ベアリング部材）や、鉄道部材（例えば、ベアリング部材、パンタグラフ部材）や、転がり軸受およびすべり軸受部材（例えばリニア軸受部材、風車軸受部材、水車軸受部材、換気扇軸受部材、ミキシング・ドラム軸受部材、コンプレッサー軸受部材、エレベータ軸受部材、エスカレータ軸受部材、惑星探査機軸受部材）や、建設機器部材（例えば、無限軌道部材、ミキシング・ドラム部材）や、船舶および潜水艦用部材（例えば、スクリュー部材）や、環境機器部材（例えば、ゴミ焼却炉部材）や、自転車、二輪自動車および水上バイク用部材（例えば、ローラーチェーン部材、スプロケット部材）や、機械加工装置部材（例えば、金型、圧延ロール、切削工具部材）や、油井用機器部材（例えば、回転機械（圧縮機、ポンプ）の部材（軸、軸受））や、海水環境機器部材（例えば、海水淡水化プラント機器部材、アンビリカルケーブル）や、化学プラント機器部材（例えば、液化天然ガス気化装置部材）や、発電機器関連部材（例えば、石炭ガス化装置部材、耐熱配管部材、燃料電池用セパレータ部材、燃料改質機器部材）や、傘の骨などが挙げられる。
【０１０２】
図６Ａは、本発明に係るCr-Fe-Ni系合金製造物およびそれを利用した工業製品の一例であり、自動車エンジン用の燃料噴射装置の断面模式図である。燃料噴射装置においては、例えば、バルブおよび／またはバルブボディとして本発明のCr-Fe-Ni系合金製造物を好適に利用できる。該バルブやバルブボディは、精密鋳造材や熱間加工材や粉末冶金材の形態で製造することができる。
【０１０３】
図６Ｂは、本発明のCr-Fe-Ni系合金製造物およびそれを利用した工業製品の他の一例あり、ローラーチェーンの平面模式図である。ローラーチェーンにおいては、例えば、チェーンプレートおよび／またはチェーンローラとして本発明のCr-Fe-Ni系合金製造物を好適に利用できる。該チェーンプレートやチェーンローラも、精密鋳造材や熱間加工材や粉末冶金材の形態で製造することができる。
【０１０４】
図６Ｃは、本発明のCr-Fe-Ni系合金製造物およびそれを利用した工業製品の他の一例であり、射出成形金型の断面模式図である。射出成形金型においては、例えば、金型基材表面の合金被覆層として本発明のCr-Fe-Ni系合金製造物を好適に利用できる。該合金被覆層は、肉盛溶接材の形態で製造することができる。
【０１０５】
図６Ｄは、本発明のCr-Fe-Ni系合金製造物およびそれを利用した工業製品の他の一例であり、ターボチャージャー部材の平面模式図（表面および裏面）である。ターボチャージャーにおいては、例えば、可変ノズル部分で排気ガスの流量および流速を調整するベーンを駆動するピン部材やアーム部材として好適に利用できる。該部材は、粉末冶金材の形態で製造することができる。
【０１０６】
図６Ｅは、本発明のCr-Fe-Ni系合金製造物およびそれを利用した工業製品の他の一例であり、破砕機械の断面模式図である。破砕機械においては、例えば、岩石やコンクリート廃材などの破砕対象物を破砕する歯板表面の合金被覆層として本発明のCr-Ni-Fe系合金製造物を好適に利用できる。該合金被覆層は、肉盛溶接材の形態で製造することができる。
【実施例】
【０１０７】
以下、実施例および比較例により本発明をさらに具体的に説明する。なお、本発明はこれらの実施例に限定されるものではない。【０１０８】
［実験１］
（発明合金IA-1〜IA-13および比較合金CA-1〜CA-6の用意）
表１に示す名目化学組成となるように、原料を混合し高周波溶解法（溶解温度1500℃以上、減圧Ar雰囲気中）により溶解して溶湯を形成した後（原料混合溶解工程S1）、溶湯を鋳造して鋳造成形体（ここでは塑性加工用インゴット）を用意した（鋳造工程S2）。【０１０９】
なお、表１に列挙した元素以外の不純物は、合計含有率が0.05質量％以下であり、「Bal.」の中に含めるものとする。比較合金CA-1、CA-2はマルテンサイト系ステンレス鋼（市販品）であり、比較合金CA-3はスーパー二相鋼と称される二相ステンレス鋼（市販品）であり、比較合金CA-4はNi基合金（市販品）であり、比較合金CA-5、CA-6は本発明の組成規定を外れるCr-Fe-Ni系合金である。【０１１０】
【表１】
0006481802.tif 000002
【０１１１】
［実験２］
（発明鍛造製造物IFP-1〜IFP-28および比較鍛造製造物CFP-1〜CFP-8の作製）
実験１で用意した塑性加工用インゴットに対して、所定の形状となるように熱間鍛造を行って塑性加工成形体を用意した（塑性加工工程S6）。熱間鍛造条件としては、鍛造温度950〜1250℃、ひずみ速度8 mm/s以下、鍛造１回あたりの圧下量10 mm以下、鍛造回数６回以上とした。【０１１２】
なお、鍛造温度の範囲は、次のようにして決定したものである。各インゴットから引張試験用の試験片を別途採取して、該試験片に対してグリーブル試験機を用いて高温引張試験（試験温度800〜1350℃、引張速度10 mm/s）を行った。高温引張試験の結果、絞りが60％以上となる温度範囲を鍛造温度範囲とした。【０１１３】
塑性加工成形体に対して、800〜950℃の焼鈍熱処理を施した（焼鈍工程S3）。ここで、機械的特性評価用の試験片として、焼鈍した塑性加工成形体から一部を採取した。【０１１４】
次に、焼鈍した熱間加工成形体の残部に対して、所定の形状となるように機械加工を行って機械加工成形体を用意した（機械加工工程S4）。なお、比較合金CA-1〜CA-4の熱間加工成形体に対しては、焼鈍工程S3を行わないで機械加工工程S4を行った。【０１１５】
次に、機械加工成形体の試料に対して、硬化熱処理（900〜1300℃で1時間保持した後、油冷）を施した（硬化工程S5）。硬化熱処理の温度は、焼鈍熱処理よりも100℃以上高い温度とした。なお、比較合金CA-1、CA-2、CA-4からなる機械加工成形体に対しては、それぞれの合金に適切な温度の硬化熱処理を行った。【０１１６】
以上の工程により、試験・評価用の鍛造製造物（IFP-1〜IFP-28およびCFP-1〜CFP-8）を作製した。各鍛造製造物の作製条件を後述する表２〜表３に記す。【０１１７】
［実験３］
（IFP-1〜IFP-28およびCFP-1〜CFP-8に対する試験・評価）
（１）微細組織評価
各鍛造製造物から組織観察用の試験片を採取した後、該試験片の表面を鏡面研磨し、シュウ酸水溶液中で電界エッチングを行った。該研磨表面を光学顕微鏡で観察した。【０１１８】
また、微細組織評価の他の一つとして、組織観察用試験片の研磨表面に対して後方散乱電子回折像（EBSP）解析を行い、フェライト相の占有率（フェライト率、単位：面積％）を測定した。該測定には、株式会社日立ハイテクノロジーズ製の走査型電子顕微鏡（S-4300SE）に株式会社TSLソリューションズ製の結晶方位測定装置を付加した装置を用いた。結果を表２〜表３に併記する。【０１１９】
（２）機械的特性評価
機械的特性評価として、ビッカース硬度計を用いてビッカース硬さ試験（荷重1 kg、荷重付加時間10 s）を行った。ビッカース硬さHV1は5点測定の平均値として求めた。機械的特性評価用の試料は、硬化させた試料として先の組織観察用試験片を用い、軟化させた試料として焼鈍した熱間加工成形体から採取した試験片を用いた。【０１２０】
ビッカース硬さ試験の結果、「HV1＜400」をＤグレードと評価し、「400≦HV1＜500」をＣグレードと評価し、「500≦HV1＜600」をＢグレードと評価し、「600≦HV1＜700」をＡグレードと評価し、「700≦HV1」をＡＡグレードと評価した。硬化させた試料では、Ｂグレード以上を合格と判定し、Ｃグレード以下を不合格と判定した。一方、軟化させた試料では、Ｂグレード以下を合格と判定し、Ａグレード以上を不合格と判定した。機械的特性評価の結果を表２〜表３に併記する。【０１２１】
（３）耐食性評価
耐食性評価として耐硫酸性試験を行った。用意した各製造物から耐硫酸性試験用の試験片（幅25 mm、長さ25 mm、厚さ1.5 mm）を採取し、JIS G0591（2000）に準拠して、硫酸水溶液中の腐食速度により評価した。具体的には、沸騰した5％硫酸水溶液中に試験片を6時間浸漬する試験を行った。試験前後の各試験片の質量を測定し、腐食による平均質量減少速度m（単位：g/(m2・h)）を測定し、2測定の平均値で求めた。【０１２２】
平均質量減少速度の測定の結果、「m＜0.1」をＡグレードと評価し、「0.1≦m＜0.3」をＢグレードと評価し、「0.3≦m＜0.5」をＣグレードと評価し、「0.5≦m」をＤグレードと評価した。Ａグレードを合格と判定し、Ｂグレード以下を不合格と判定した。耐食性評価の結果を表２〜表３に併記する。【０１２３】
【表２】
0006481802.tif 000003
【０１２４】
【表３】
0006481802.tif 000004
【０１２５】
金属組織の光学顕微鏡観察に関しては、塑性加工を行った製造物であることから、鋳造組織の結晶粒よりも平均結晶粒径が小さい等軸晶状の再結晶粒が確認された。フェライト率が100％未満の試料では、先に示した図１と同様に二相組織が観察された。一方、フェライト率が100％の試料では、オーステナイト相は観察されなかった。なお、発明鍛造製造物IFP-1〜IFP-28において、フェライト相およびオーステナイト相以外の金属間化合物相（例えば、σ相などの異相）は、観察・確認されなかった。【０１２６】
表１〜表３に示したように、フェライト率に関しては、化学組成が同じ合金であっても、硬化熱処理の温度を高めるとフェライト率が増加する傾向が確認される。さらに、フェライト率とビッカース硬さとの間には比較的良好な相関関係があり、フェライト率が増加するにつれてビッカース硬さも増加する傾向が確認される。【０１２７】
本発明のIFP-1〜IFP-28は、硬化熱処理を施すと、ビッカース硬さが全てＢグレード以上（500≦HV1）となり、マルテンサイト系ステンレス鋼の鍛造製造物であるCFP-1〜CFP-4と同等以上の高い機械的強さを有していることが確認される。これに対し、二相ステンレス鋼の鍛造製造物であるCFP-5とNi基合金の鍛造製造物であるCFP-6とは、ビッカース硬さが不十分であった。【０１２８】
一方、焼鈍性（軟化性）に関しては、本発明のIFP-1〜IFP-28は、極めて魅力的な特性を示した。IFP-1〜IFP-28は、焼鈍した塑性加工成形体のビッカース硬さが全てＢグレード以下（HV1＜600）であり、良好な機械加工性を有していることが確認される。これに対し、本発明の組成規定を外れるCFP-7〜CFP-8は、焼鈍した塑性加工成形体のビッカース硬さがＡグレード（600≦HV1＜700）と、機械加工性が不十分であった（すなわち、加工コストが増大し易いと言える）。【０１２９】
なお、焼鈍工程を行った本発明材は、ビッカース硬さが低くなることから、塑性加工に対しても高い加工性を有すると考えられる。【０１３０】
耐食性評価に関しては、本発明のIFP-1〜IFP-28は、全てＡグレード（m＜0.1）の評価であり、高い耐硫酸性を有していることが確認される。これに対し、比較鍛造製造物CFP-1〜CFP-4、CFP-6は、硫酸腐食による平均質量減少速度がＢグレード以下（0.1≦m）と、耐食性が不十分であった。【０１３１】
［実験４］
（発明合金IA-14〜IA-23および比較合金CA-7〜CA-12の用意）
表４のIA-14〜IA-23およびCA-7〜CA-12に示す名目化学組成となるように、原料を混合し高周波溶解法（溶解温度1500℃以上、減圧Ar雰囲気中）により溶解して溶湯を形成した後（原料混合溶解工程S1）、該溶湯を所定の鋳型に鋳込んで鋳造成形体を用意した（鋳造工程S2）。【０１３２】
（発明合金IA-24〜IA-25の用意）
上記と同様にして、表４のIA-24〜IA-25に示す名目化学組成となるように、原料を混合・溶解して溶湯を形成した後（原料混合溶解工程S1）、ガスアトマイズ法により急冷凝固合金粉末を用意した（アトマイズ工程S7）。その後、急冷凝固合金粉末に対して分級工程S8を行って、平均粒径100μmの急冷凝固合金粉末を用意した。【０１３３】
なお、表４に列挙した元素以外の不純物は、合計含有率が0.05質量％以下であり、「Bal.」の中に含めるものとする。比較合金CA-7、CA-8はマルテンサイト系ステンレス鋼（市販品）であり、比較合金CA-9はスーパー二相鋼と称される二相ステンレス鋼（市販品）であり、比較合金CA-10はNi基合金（市販品）であり、比較合金CA-11、CA-12は本発明の組成規定を外れるCr-Fe-Ni系合金である。【０１３４】
【表４】
0006481802.tif 000005
【０１３５】
［実験５］
（発明鋳造製造物ICP-1〜ICP-10および比較鋳造製造物CCP-1〜CCP-6の作製）
実験４で用意したIA-14〜IA-23およびCA-11〜CA-12の鋳造成形体に対して、800〜950℃の焼鈍熱処理を施した（焼鈍工程S3）。ここで、機械的特性評価用の試験片として、焼鈍した鋳造成形体から一部を採取した。【０１３６】
次に、焼鈍した鋳造成形体の残部に対して、所定の形状となるように機械加工を行って機械加工成形体を用意した（機械加工工程S4）。なお、比較合金CA-7〜CA-10の鋳造成形体に対しては、焼鈍工程S3を行わないで機械加工工程S4を行った。【０１３７】
次に、機械加工成形体の試料に対して、硬化熱処理（1000〜1300℃で1時間保持した後、油冷）を施した（硬化工程S5）。硬化熱処理の温度は、焼鈍熱処理よりも100℃以上高い温度とした。なお、比較合金CA-7、CA-8、CA-10からなる機械加工成形体に対しては、それぞれの合金に適切な温度の硬化熱処理を行った。【０１３８】
以上の工程により、試験・評価用の鋳造製造物（ICP-1〜ICP-10およびCCP-1〜CCP-6）を作製した。各鋳造製造物の作製条件を後述する表５に記す。【０１３９】
［実験６］
（発明急冷凝固製造物IQSP-1〜IQSP-2の作製）
実験４で用意したIA-24〜IA-25の急冷凝固合金粉末を用いて、粉末プラズマ肉盛溶接法によりオーステナイトステンレス鋼板（SUS304板）上に合金被覆層（厚さ5 mm）を形成して合金被覆複合体を用意した（肉盛溶接工程S9）。【０１４０】
次に、IA-24を用いた合金被覆複合体に対して、硬化熱処理（1100℃で1時間保持した後、油冷）を施して（硬化工程S5）、試験・評価用の発明急冷凝固製造物IQSP-1とした。一方、IA-25を用いた合金被覆複合体は、硬化工程S5を行わず、そのまま試験・評価用の発明急冷凝固製造物IQSP-2とした。作製条件を表５に併記する。【０１４１】
［実験７］
（発明粉末冶金製造物IPMP-1〜IPMP-2の作製）
実験４で用意したIA-24〜IA-25の急冷凝固合金粉末を用いて、金属粉末射出成形法により円柱状の粉末成形体（外径30 mm、高さ10 mm）を用意した（粉末成型工程S10）。【０１４２】
次に、粉末成形体に対して、焼結熱処理（1300℃で1時間保持した後、空冷し、その後、1160℃かつ997気圧で1時間保持のHIP処理）を施して粉末焼結体を用意した（焼結工程S11）。【０１４３】
次に、IA-24を用いた粉末焼結体は、硬化工程S5を行わず、そのまま試験・評価用の発明粉末冶金製造物IPMP-1とした。一方、IA-25を用いた粉末焼結体に対して、硬化熱処理（1100℃で1時間保持した後、油冷）を施して（硬化工程S5）、試験・評価用の発明粉末冶金製造物IPMP-2とした。作製条件を表５に併記する。【０１４４】
［実験８］
（ICP-1〜ICP-10、CCP-1〜CCP-6、IQSP-1〜IQSP-2およびIPMP-1〜IPMP-2に対する試験・評価）
実験５〜実験７で用意したICP-1〜ICP-10、CCP-1〜CCP-6、IQSP-1〜IQSP-2およびIPMP-1〜IPMP-2に対して、実験３と同様の試験・評価を行った。試験・評価の結果を表５に併記する。【０１４５】
【表５】
0006481802.tif 000006
【０１４６】
先に示した図１は、ICP-3の金属組織の光学顕微鏡写真である。ICP-3は、フェライト率が63％の試料であることから（表５参照）、明色のオーステナイト相P1と暗色のフェライト相P1とが互いに分散混合した二相組織を有している。【０１４７】
表４〜表５に示したように、硬化熱処理を施した本発明のICP-1〜ICP-10は、ビッカース硬さが全てＢグレード以上（500≦HV1）となり、マルテンサイト系ステンレス鋼の鋳造製造物であるCCP-1〜CCP-2と同等以上の高い機械的強さを有していることが確認される。これに対し、二相ステンレス鋼の鋳造製造物であるCCP-3とNi基合金の鋳造製造物であるCCP-4とは、ビッカース硬さが不十分であった。【０１４８】
また、本発明のIQSP-1〜IQSP-2およびIPMP-1〜IPMP-2も、ビッカース硬さが全てＢグレード以上（500≦HV1）であることが確認される。さらに、硬化熱処理を行うことでフェライト率が増加する傾向が確認される。【０１４９】
なお、実験３と同様に、フェライト率とビッカース硬さとの間には比較的良好な相関関係があり、フェライト率が増加するにつれてビッカース硬さも増加する傾向が確認される。【０１５０】
焼鈍性（軟化性）に関しては、実験３と同様に、本発明のICP-1〜ICP-10は、焼鈍した鋳造成形体のビッカース硬さが全てＢグレード以下（HV1＜600）であり、良好な機械加工性を有していることが確認される。これに対し、本発明の組成規定を外れるCCP-5〜CCP-6は、焼鈍した熱間加工成形体のビッカース硬さがＡグレード（600≦HV1＜700）と、機械加工性が不十分であった（すなわち、加工コストが増大し易いと言える）。【０１５１】
耐食性評価に関しては、本発明のICP-1〜ICP-10、IQSP-1〜IQSP-2およびIPMP-1〜IPMP-2は、全てＡグレード（m＜0.1）の評価であり、高い耐硫酸性を有していることが確認される。これに対し、比較鋳造製造物CCP-1〜CCP-2、CCP-4は、硫酸腐食による平均質量減少速度がＢグレード以下（0.1≦m）と、耐食性が不十分であった。【０１５２】
［実験９］
（発明合金IA-a〜IA-gおよび比較合金CA-aの用意）
表６のIA-a〜IA-gおよびCA-aに示す名目化学組成となるように、原料を混合し高周波溶解法（溶解温度1500℃以上、減圧Ar雰囲気中）により溶解して溶湯を形成した後（原料混合溶解工程S1）、溶湯を鋳造して鋳造成形体を用意した（鋳造工程S2）。【０１５３】
（発明合金IA-hおよび比較合金CA-b〜CA-dの用意）
同様に、表６のIA-hおよびCA-b〜CA-dに示す名目化学組成となるように、原料を混合し高周波溶解法（溶解温度1500℃以上、減圧Ar雰囲気中）により溶解して溶湯を形成した後（原料混合溶解工程S1）、該溶湯を所定の鋳型に鋳込んで鋳造成形体（ここでは塑性加工用インゴット）を用意した（鋳造工程S2）。【０１５４】
（発明合金IA-i〜IA-jの用意）
同様に、表６のIA-i〜IA-jに示す名目化学組成となるように、原料を混合・溶解して溶湯を形成した後（原料混合溶解工程S1）、水アトマイズ法により急冷凝固合金粉末を用意した（アトマイズ工程S7）。その後、急冷凝固合金粉末に対して分級工程S8を行って、平均粒径9μmの急冷凝固合金粉末を用意した。【０１５５】
（比較合金CA-eの用意）
同様に、表６のCA-eに示す名目化学組成となるように、原料を混合・溶解して溶湯を形成した後（原料混合溶解工程S1）、ガスアトマイズ法により急冷凝固合金粉末を用意した（アトマイズ工程S7）。その後、急冷凝固合金粉末に対して分級工程S8を行って、平均粒径150μmの急冷凝固合金粉末を用意した。【０１５６】
なお、表６に列挙した元素以外の不純物は、合計含有率が0.05質量％以下であり、「Bal.」の中に含めるものとする。比較合金CA-a、CA-bは本発明の組成規定を外れるCr-Fe-Ni系合金であり、比較合金CA-cはマルテンサイト系ステンレス鋼（市販品）であり、比較合金CA-dはスーパー二相鋼と称される二相ステンレス鋼（市販品）であり、CA-eはNi基合金（市販品）である。【０１５７】
【表６】
0006481802.tif 000007
【０１５８】
［実験１０］
（発明鋳造製造物ICP-a〜ICP-gおよび比較鋳造製造物CCP-aの作製）
実験９で用意したIA-a〜IA-gおよびCA-aの鋳造成形体に対して、焼鈍熱処理（900〜1000℃で1時間保持した後、空冷または油冷）を施した（焼鈍工程S3）。ここで、機械的特性評価用の試験片として、焼鈍した塑性加工成形体から一部を採取した。【０１５９】
次に、焼鈍した鋳造成形体に対して、所定の形状となるように機械加工を行って機械加工成形体を用意した（機械加工工程S4）。【０１６０】
次に、機械加工成形体の試料に対して、硬化熱処理（1040〜1200℃で1時間保持した後、空冷、水冷または油冷）を施した（硬化工程S5）。硬化熱処理の温度は、焼鈍熱処理よりも100℃以上高い温度とした。【０１６１】
以上の工程により、試験・評価用の鋳造製造物（ICP-a〜ICP-gおよびCCP-a）を作製した。各鋳造製造物の作製条件を後述する表７に記す。【０１６２】
［実験１１］
（発明鍛造製造物IFP-aおよび比較鍛造製造物CFP-a〜CFP-cの作製）
実験９で用意したIA-hおよびCA-b〜CA-dの塑性加工用インゴットに対して、所定の形状となるように熱間鍛造を行って塑性加工成形体を用意した（塑性加工工程S6）。熱間鍛造条件としては、鍛造温度950〜1250℃、ひずみ速度8 mm/s以下、鍛造１回あたりの圧下量10 mm以下、鍛造回数３回以上とした。【０１６３】
塑性加工成形体に対して、焼鈍熱処理（900〜1000℃で1時間保持した後、空冷または油冷）を施した（焼鈍工程S3）。ここで、機械的特性評価用の試験片として、焼鈍した塑性加工成形体から一部を採取した。【０１６４】
次に、焼鈍した塑性加工成形体に対して、所定の形状となるように機械加工を行って機械加工成形体を用意した（機械加工工程S4）。なお、比較合金CA-c、CA-dの塑性加工成形体に対しては、焼鈍工程S3を行わないで機械加工工程S4を行った。【０１６５】
次に、機械加工成形体の試料に対して、硬化熱処理（1100〜1200℃で1時間保持した後、空冷、水冷または油冷）を施した（硬化工程S5）。硬化熱処理の温度は、焼鈍熱処理よりも100℃以上高い温度とした。なお、比較合金CA-cからなる機械加工成形体に対しては、該合金に適切な温度の硬化熱処理を行った。【０１６６】
以上の工程により、試験・評価用の鍛造製造物（IFP-aおよびCFP-a〜CFP-c）を作製した。各鍛造製造物の作製条件を表７に併記する。【０１６７】
［実験１２］
（発明粉末冶金製造物IPMP-a〜IPMP-dの作製）
実験９で用意したIA-i〜IA-jの急冷凝固合金粉末を用いて、金属粉末射出成形法により円柱状の粉末成形体（外径9 mm、長さ90 mm）を用意した（粉末成型工程S10）。このとき、急冷凝固合金粉末IA-iを用いて、グラファイト粉末を混合した粉末成形体とグラファイト粉末を混合しなかった粉末成形体とを用意した。【０１６８】
より具体的には、グラファイト粉末を混合しないIA-iをそのまま成形した粉末成形体IA-i-C1と、100質量部のIA-iに0.3質量部のグラファイト粉末を混合して成形した粉末成形体IA-i-C2と、100質量部のIA-iに0.6質量部のグラファイト粉末を混合して成形した粉末成形体IA-i-C3とを用意した。急冷凝固合金粉末IA-jに対しては、グラファイト粉末を混合しないでそのまま成形した粉末成形体IA-j-C1を用意した。【０１６９】
次に、粉末成形体に対して、焼結熱処理（1350℃で2時間保持した後、炉冷し、その後、1160℃かつ997気圧で1時間保持のHIP処理）を施して粉末焼結体を用意した（焼結工程S11）。【０１７０】
次に、粉末焼結体に対して、800〜950℃の焼鈍熱処理（900で1時間保持した後、油冷）を施した（焼鈍工程S3）。ここで、機械的特性評価用の試験片として、焼鈍した塑性加工成形体から一部を採取した。【０１７１】
最後に、硬化熱処理（1100℃で1時間保持した後、空冷）を施して（硬化工程S5）、試験・評価用の発明粉末冶金製造物IPMP-a〜IPMP-dとした。作製条件を表７に併記する。【０１７２】
［実験１３］
（比較急冷凝固製造物CQSP-aの作製）
実験９で用意したCA-eの急冷凝固合金粉末を用いて、粉末プラズマ肉盛溶接法によりオーステナイトステンレス鋼板（SUS304板）上に合金被覆層（厚さ5 mm）を形成して合金被覆複合体を用意し、比較急冷凝固製造物CQSP-aとした（肉盛溶接工程S9）。【０１７３】
［実験１４］
（ICP-a〜ICP-g、IFP-a、IPMP-a〜IPMP-d、CCP-a、CFP-a〜CFP-cおよびCQSP-aに対する試験・評価）
実験１０〜実験１３で用意したICP-a〜ICP-g、IFP-a、IPMP-a〜IPMP-d、CCP-a、CFP-a〜CFP-cおよびCQSP-aに対して、実験３と同様の試験・評価を行った。
HV【０１７４】
実験１４におけるビッカース硬さ試験は、「HV1＜400」をＤグレードと評価し、「400≦HV1＜500」をＣグレードと評価し、「500≦HV1＜600」をＢグレードと評価し、「600≦HV1＜700」をＡグレードと評価し、「700≦HV1＜800」をＡＡグレードと評価し、「800≦HV1」をＡＡＡグレードと評価した。硬化させた試料では、ＡＡグレード以上を合格と判定し、Ａグレード以下を不合格と判定した。一方、軟化させた試料では、Ｂグレード以下を合格と判定し、Ａグレード以上を不合格と判定した。機械的特性評価の結果を表７に併記する。【０１７５】
実験１４における耐硫酸性試験は、水素イオン指数pH＝1の硫酸水溶液中に試験片（幅25 mm、長さ25 mm、厚さ1.5 mm）を96時間浸漬して行った。試験前後の各試験片の質量を測定し、腐食による平均質量減少速度m（単位：mg/(cm2・h)）を測定し、2測定の平均値で求めた。【０１７６】
平均質量減少速度の測定の結果、「m＜0.02」をＡグレードと評価し、「0.02≦m＜0.1」をＢグレードと評価し、「0.1≦m＜0.5」をＣグレードと評価し、「0.5≦m」をＤグレードと評価した。Ｂグレードを合格と判定し、Cグレード以下を不合格と判定した。耐食性評価の結果を表７に併記する。【０１７７】
【表７】
0006481802.tif 000008
【０１７８】
微細組織観察において、本発明のICP-a〜ICP-g、IFP-aおよびIPMP-a〜IPMP-dは、実験３や実験８での結果と同様に、オーステナイト相とフェライト相とが互いに分散混合した二相組織（例えば、図１参照）あるいはフェライト単相組織を有していることを確認した。また、オーステナイト相およびフェライト相以外の金属間化合物相（例えば、σ相などの異相）は、観察されなかった。【０１７９】
表７に示したように、硬化熱処理を施した本発明のICP-a〜ICP-g、IFP-aおよびIPMP-a〜IPMP-dは、ビッカース硬さが全てＡＡグレード以上（700≦HV1）となり、マルテンサイト系ステンレス鋼の鍛造製造物であるCFP-bよりも高い硬さを有していることが確認される。これに対し、本発明の組成規定を外れるCCP-aおよびCFP-a、二相ステンレス鋼の鍛造製造物であるCFP-cおよびNi基合金の急冷凝固製造物であるCQSP-aはビッカース硬さが不十分であった。【０１８０】
また、焼鈍性（軟化性）に関しては、実験３や実験８と同様に、本発明のICP-a〜ICP-g、IFP-aおよびIPMP-a〜IPMP-dは、焼鈍した鋳造成形体および粉末冶金成形体のビッカース硬さが全てＢグレード以下（HV1＜600）であり、良好な機械加工性を有していることが確認される。これに対し、本発明の組成規定を外れるCCP-aは、焼鈍した鋳造成形体のビッカース硬さがＡグレード（600≦HV1＜700）と、機械加工性が不十分であった（すなわち、加工コストが増大し易いと言える）。【０１８１】
耐食性評価に関しては、本発明のICP-a〜ICP-g、IFP-aおよびIPMP-a〜IPMP-dは、全てＡグレード（m＜0.02）の評価であり、高い耐硫酸性を有していることが確認される。これに対し、マルテンサイト系ステンレス鋼の鍛造製造物であるCFP-bは、硫酸腐食による平均質量減少速度がＤグレード（0.5≦m）と、耐食性が不十分であった。【０１８２】
一方、発明粉末冶金製造物IPMP-a〜IPMP-dの組織観察用試験片を用いて、化学組成分析を行った。結果を表８に示す。なお、表８に列挙した元素以外の不純物は、合計含有率が0.05質量％以下であり、「Bal.」の中に含めるものとする。【０１８３】
【表８】
0006481802.tif 000009
【０１８４】
表８の結果と表６のIA-i〜IA-jとを比較すると、C含有率およびO含有率が変化しているという大変興味深い現象がみられる。具体的には、IPMP-aおよびIPMP-dにおいて、それぞれIA-iおよびIA-jよりもC含有率およびO含有率が低下していることが判る。また、グラファイト粉末を混合した粉末成形体IA-i-C2およびIA-i-C3を用いたIPMP-bおよびIPMP-cでは、それぞれC含有率が大きく増加しO含有率が大きく低下していることが判る。これらの結果から、粉末冶金製造物の製造過程（例えば、焼結工程）においては、合金中のC成分とO成分とが化合して離脱する現象が起きていることが強く示唆される。【０１８５】
上述した実施形態や実験例は、本発明の理解を助けるために説明したものであり、本発明は、記載した具体的な構成のみに限定されるものではない。例えば、実施形態の構成の一部を当業者の技術常識の構成に置き換えることが可能であり、また、実施形態の構成に当業者の技術常識の構成を加えることも可能である。すなわち、本発明は、本明細書の実施形態や実験例の構成の一部について、発明の技術的思想を逸脱しない範囲で、削除・他の構成に置換・他の構成の追加をすることが可能である。
【符号の説明】
【０１８６】
P1…オーステナイト相、P2…フェライト相、  10…溶湯、11…原料合金塊、12…清浄化溶湯、  20…鋳造成形体、30，30’…機械加工成形体、40…塑性加工成形体、  50…急冷凝固合金粉末、60…肉盛溶接材、61…基材、62…合金被覆層、  70…粉末成形体、80…粉末焼結体。
【要約】
本発明は、様々な品質の燃料やその燃焼ガスや劣化した潤滑油と直接接触するような厳しい腐食環境に耐えられる耐食性およびステンレス鋼と同等以上の機械的特性を兼ね備え、かつNi基合金よりも低コスト化が可能な合金製造物、および該製造物の製造方法を提供することを目的とする。本発明のCr-Fe-Ni系合金を用いた製造物は、前記合金の化学組成が45〜75質量％のCrと、10〜33質量％Feと、10〜40質量％のNiと、2質量％以下のMnと、1質量％以下のSiと、0.005〜0.2質量％のAlと、2質量％以下のCと、2質量％以下のNと、0.2質量％以下のOと、0.06質量％以下のPと、0.01質量％以下のSとを含み、前記製造物は、その微細組織においてフェライト相の占有率が60面積％以上であることを特徴とする。【図１】
0006481802.tif 000010
【図２】
0006481802.tif 000011
【図３】
0006481802.tif 000012
【図４】
0006481802.tif 000013
【図５】
0006481802.tif 000014
【図６Ａ】
0006481802.tif 000015
【図６Ｂ】
0006481802.tif 000016
【図６Ｃ】
0006481802.tif 000017
【図６Ｄ】
0006481802.tif 000018
【図６Ｅ】
0006481802.tif 000019